(57)【要約】【課題】複数の拠点で同じ表示条件で医用画像データを確認できる環境を構築する際に、ユーザの煩雑さを軽減しつつも、サーバの負荷を軽減する仕組みを提供することを目的としている。【解決手段】医用画像データと表示条件の設定をサーバに記憶する際に、医用画像データが既にサーバに記憶されている場合には表示条件の設定をサーバのメモリに記憶し、医用画像データが記憶されていない場合には、医用画像データと当該医用画像データに対する表示条件の設定をサーバのメモリに記憶する。このように設けることで、ユーザがいずれの条件で保存するかを選択しなくとも、医用画像データがサーバ上に重複保存されることを防止でき、ユーザの煩雑さを軽減しつつも、サーバの負荷を軽減することができる。【選択図】図５
2017118913.tif 000002
【特許請求の範囲】
【請求項１】
医用画像データを記憶可能な記憶手段を備えたサーバと通信可能な情報処理装置であって、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されている否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、
を備えることを特徴とする情報処理装置。
【請求項２】
前記設定受付手段は、前記医用画像データが表示された画面を介して前記表示条件の設定を受け付けることを特徴とする請求項１に記載の情報処理装置。
【請求項３】
前記医用画像データに対する表示条件は、前記医用画像データから生成される３次元医用画像に対する、ウィンドウ幅値、ウィンドウレベル値、視点情報、透明度情報、および、表示色情報のうち少なくとも１つの条件であることを特徴とする請求項１または２に記載の情報処理装置。
【請求項４】
前記医用画像データは、ＤＩＣＯＭ規格に準拠した医用画像データであることを特徴とする請求項１乃至３のいずれか１項に記載の情報処理装置。
【請求項５】
前記医用画像データを特定可能な特定情報は、当該医用画像データに対応する検査を特定可能な情報であることを特徴とする請求項１乃至４のいずれか１項に記載の情報処理装置。
【請求項６】
前記送信手段により送信された前記医用画像データに対する表示条件の設定は、当該表示条件の設定の付加情報として対応する医用画像データを特定可能な情報を持ち、対応する医用画像データを特定可能な状態で前記サーバの記憶手段に記憶されることを特徴とする請求項１乃至５のいずれか１項に記載の情報処理装置。
【請求項７】
前記設定受付手段は、前記医用画像データから生成される３次元医用画像に対する表示条件の設定を受け付け、
前記取得手段は、前記３次元医用画像に対応する医用画像データが前記サーバの前記記憶手段に記憶されているか否かを判断した結果を取得するものであり、
前記送信手段は、前記取得手段で取得された結果が、前記３次元医用画像を構成する医用画像データの一部が記憶されていないとの結果である場合には、当該一部の医用画像データと前記３次元医用画像に対する表示条件の設定とを前記サーバの前記記憶手段に記憶すべく送信する
ことを特徴とする請求項１乃至６のいずれか１項に記載の情報処理装置。
【請求項８】
前記サーバの前記記憶手段に記憶されている前記医用画像データと当該医用画像データに対する表示条件の設定とを取得するデータ取得手段と、
前記データ取得手段で取得された前記医用画像データに当該医用画像データに対する表示条件の設定を適用して画像を表示するべく制御する表示制御手段と、
を更に備えることを特徴とする請求項１乃至７のいずれか１項に記載の情報処理装置。
【請求項９】
医用画像データを記憶可能な記憶手段を備えたサーバと通信可能な情報処理装置の制御方法であって、
情報処理装置が、
前記医用画像データに対する、表示条件の設定を受け付ける設定受付工程と、
前記設定受付工程で受け付けた表示条件の設定を前記サーバに保存する指示を受け付ける保存指示受付工程と、
前記保存指示受付工程により保存指示を受け付けた前記医用画像データを特定可能な特定情報を用いて、当該医用画像データが前記サーバの前記記憶手段に記憶されている否か判断した結果を取得する取得工程と、
前記取得工程により取得された結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶すべく送信し、前記取得工程により取得された結果が、前記医用画像データが前記サーバに記憶されているとの結果である場合には、前記設定受付工程で受け付けた前記医用画像データに対する表示条件の設定を前記サーバの前記記憶手段に記憶すべく送信する送信工程と、
を備えることを特徴とする情報処理装置の制御方法。
【請求項１０】
医用画像データを記憶可能な記憶手段を備えたサーバと通信可能な情報処理装置で読み取り実行可能なプログラムであって、
情報処理装置を、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されている否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段として機能させることを特徴とするプログラム。
【請求項１１】
医用画像データを表示する情報処理装置と通信可能に設けられ、前記医用画像データを記憶可能な記憶手段を備えるサーバであって、
前記情報処理装置から送信された、前記医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段と、
を備えることを特徴とするサーバ。
【請求項１２】
医用画像データを表示する情報処理装置と通信可能に設けられ、前記医用画像データを記憶可能な記憶手段を備えるサーバの制御方法であって、
サーバが、
前記情報処理装置から送信された、前記医用画像データを特定可能な特定情報を受信する受信工程と、
前記受信工程により受信した特定情報を用いて、前記医用画像データが前記サーバの記憶手段に記憶されているか否か判断可能な情報を前記情報処理装置に送信する送信工程と、
前記送信工程により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御工程と、
を備えることを特徴とするサーバの制御方法。
【請求項１３】
医用画像データを表示する情報処理装置と通信可能に設けられ、前記医用画像データを記憶可能な記憶手段を備えるサーバで読み取り実行可能なプログラムであって、
サーバを、
前記情報処理装置から送信された、前記医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段として機能させることを特徴とするプログラム。
【請求項１４】
医用画像データを表示する情報処理装置と、当該情報処理装置と通信可能に設けられ、前記医用画像データを記憶可能な記憶手段を備えるサーバとを有する情報処理システムであって、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されている否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段と、
を備えることを特徴とする情報処理システム。
【請求項１５】
医用画像データを表示する情報処理装置と、当該情報処理装置と通信可能に設けられ、前記医用画像データを記憶可能な記憶手段を備えるサーバとを有する情報処理システムの制御方法であって、
前記情報処理システムが、
前記医用画像データに対する、表示条件の設定を受け付ける設定受付工程と、
前記設定受付工程で受け付けた表示条件の設定を前記サーバに保存する指示を受け付ける保存指示受付工程と、
前記保存指示受付工程により受け付けた前記医用画像データを特定可能な特定情報を用いて、当該医用画像データが前記サーバの前記記憶手段に記憶されている否か判断する判断工程と、
前記判断工程による判断結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶させ、前記判断工程による判断結果が、前記医用画像データが前記サーバに記憶されていないとの結果である場合には、前記設定受付工程で受け付けた前記医用画像データに対する表示条件の設定を前記サーバの前記記憶手段に記憶させる記憶制御工程と、
を備えることを特徴とする情報処理システムの制御方法。
【請求項１６】
医用画像データを表示する情報処理装置と、当該情報処理装置と通信可能に設けられ、前記医用画像データを記憶可能な記憶手段を備えるサーバとを有する情報処理システムで読み取り実行可能なプログラムであって、
情報処理システムを、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されている否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段として機能させることを特徴とするプログラム。
【発明の詳細な説明】
【技術分野】
【０００１】
本発明は、情報処理装置、情報処理方法、プログラムに関し、複数の拠点で同じ表示条件で医用画像データを確認できる環境を構築する際に、ユーザの煩雑さを軽減しつつも、サーバの負荷を軽減する技術に関するものである。
【背景技術】
【０００２】
これまで病院内の画像解析業務では、スタンドアロンシステムのワークステーションが設置され、独立した環境で画像解析がなされデータを院内システムに送信するということが行われていたが、近年では院内のシステムに統合されたネットワークシステムのワークステーションが画像解析業務を担っている。さらに、院外でも画像解析業務が行える環境も求められており、院外のクラウドサーバ上に医用画像データを保管して院内・院外とわず複数の環境（ＰＣ）からアクセスできるようにし、医師や医療従事者が複数の拠点から画像解析業務に携われるような環境が構築されつつある。特許文献１には、院外のクラウドサーバ上に医用画像を恒久的に保管し、ネットワークに接続されている医用画像参照装置から参照することができる仕組みが開示されている。
【先行技術文献】
【特許文献】
【０００３】
【特許文献１】特開２０１２−１４１８３８号公報
【発明の概要】
【発明が解決しようとする課題】
【０００４】
ところで、医用画像データの読影時は、一時読影と二次読影というように、複数人の読影者で読影を行うことがあるが、このような場合には、同じ表示条件で医用画像データを確認できる環境が求められる。このような環境を実現する方法としては、医用画像データを表示する際の表示条件の設定（以下、ワークリストとも称する）を医用画像データとともにサーバ上に保管することで対応することが可能である。
【０００５】
また、このような表示条件の設定をサーバ上に保存する際に、既に医用画像データが保存されていることもある。そのためサーバ上に医用画像データが重複して保存されてサーバ容量を圧迫しないようにするためには、サーバへの保存時に医用画像データと表示条件とを設定とを保存するか、医用画像データは保存させずに表示条件の設定だけを保存するかを、ユーザが選択しなければならず、操作が煩雑であった。
【０００６】
そこで、本発明は複数の拠点で同じ表示条件で医用画像データを確認できる環境を構築する際に、ユーザの煩雑さを軽減しつつも、サーバの負荷を軽減する仕組みを提供することを目的としている。
【課題を解決するための手段】
【０００７】
本発明は、医用画像データを記憶可能な記憶手段を備えたサーバと通信可能な情報処理装置であって、前記医用画像データに対する、表示条件の設定を受け付ける設定受付手段と、前記設定受付手段で受け付けた表示条件の設定を前記サーバに保存する指示を受け付ける保存指示受付手段と、前記保存指示受付手段により保存指示を受け付けた前記医用画像データを特定可能な特定情報を用いて、当該医用画像データが前記サーバの前記記憶手段に記憶されている否か判断した結果を取得する取得手段と、前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、を備えることを特徴とする。
【発明の効果】
【０００８】
本発明によれば、複数の拠点で同じ表示条件で医用画像データを確認できる環境を構築する際に、ユーザの煩雑さを軽減しつつも、サーバの負荷を軽減することができる。
【図面の簡単な説明】
【０００９】
【図１】本発明の情報処理システムのシステム構成の一例を示す図である。
【図２】情報処理装置１１０、管理サーバ１２０、情報処理装置１３０、管理サーバ１５０のハードウェア構成の一例を示す図である。
【図３】情報処理装置１１０と、管理サーバ１５０の機能構成を説明するブロック図の一例を示す図である。
【図４】（Ａ）ＤＩＣＯＭの規格を示す図である。（Ｂ）管理サーバ１５０で管理されるＤＩＣＯＭ画像と表示条件の設定（ワークリスト）の構成の一例を示す図である。
【図５】第１の実施形態に係る表示条件の設定を保存する流れを説明するためのフローチャートの一例を示す図である。
【図６】管理サーバ１５０に保存された表示条件の設定を適用して３次元医用画像を生成して表示する流れを説明するためのフローチャートの一例を示す図である。
【図７】情報処理装置１１０、１３０の表示端末２１０に表示されビューアの画面の一例を示す図である。
【図８】情報処理装置１１０に保存される管理サーバ１５０の保存先パスを管理するテーブルの一例を示す図である。
【図９】第２の実施形態に係る表示条件の設定を保存する流れを説明するためのフローチャートの一例を示す図である。
【発明を実施するための形態】
【００１０】
以下、図面を参照して、本発明の実施形態を詳細に説明する。
【００１１】
図１は、本発明の情報処理システムのシステム構成の一例を示す図である。
【００１２】
本発明の情報処理システムは、モダリティ１４０、医用画像表示装置として用いられる情報処理装置１１０、医療施設Ａ１６０内で医用画像を管理する管理サーバ１２０（サーバ装置）、がＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等の医療施設Ａ１６０内ネットワークを介して相互にデータ通信可能に接続されている。さらに医療施設Ａ１６０内のネットワークは、医療施設Ａ１６０外の管理サーバ１５０とネットワークを介して相互にデータ通信可能に接続されており、医療施設Ａ１６０内の画像等を医療施設Ａ１６０外に保管できるように設けられている。また、別の医療施設Ｂ１７０の情報処理装置１３０や、医師自宅１８０の情報処理装置１３０もネットワークを介して管理サーバ１５０と相互にデータ通信可能に接続することもでき、管理サーバ１５０の画像等を取得できるように設けられている。
【００１３】
なお、図１の各端末構成は一例であり、用途や目的に応じてさまざまな構成例があることは言うまでもない。
【００１４】
以下、本実施形態ではモダリティとしてＸ線ＣＴ装置（モダリティ１４０）を例に説明を行うが、これに限られず、医用画像データ管理が必要となるモダリティであれば適用可能である。
【００１５】
モダリティ１４０で撮影された医用画像は、予め設定された情報処理装置１１０や医療施設Ａ１６０内のＰＡＣＳ（Ｐｉｃｔｕｒｅ  Ａｒｃｈｉｖｉｎｇ  Ｃｏｍｍｕｎｉｃａｔｉｏｎ  Ｓｙｓｔｅｍ）等の管理サーバ１２０や当該管理サーバ１２０を介して外部の管理サーバ１５０に送信し、保存させることができる。モダリティ１４０によって撮影された医用画像データは、ＤＩＣＯＭ規格のＤＩＣＯＭ画像であり、患者名、患者ＩＤ、患者の性別、検査日、検査時間、検査部位、検査装置等の付帯情報と画像データとで構成されている。
【００１６】
情報処理装置１１０は、医療施設Ａ１６０内に設けられており、モダリティ１４０で撮影された医用画像データ（複数の断層画像データ）や、管理サーバ１２０や管理サーバ１５０で管理されている医用画像データを取得して表示したり、種々の画像処理を行うことができるワークステーション（医用画像処理装置）である。また、情報処理装置は１１０は、各種処理を行った後の表示条件であるワークリストを管理サーバ１２０や管理サーバ１５０に保存させることができる。また、管理サーバ１２０や管理サーバ１５０で保存されている医用画像データとともに当該医用画像データに対応するワークリストを取得し、医用画像データにワークリストを適用させて、保存時の表示状態を再現して表示することができる。
【００１７】
管理サーバ１２０は、主に医療施設Ａ１６０内のモダリティ１４０で撮影された画像を保存し、管理するためのＰＡＣＳ（Ｐｉｃｔｕｒｅ  Ａｒｃｈｉｖｉｎｇ  Ｃｏｍｍｕｎｉｃａｔｉｏｎ  Ｓｙｓｔｅｍ）等のサーバ装置であり、モダリティ１４０から取得した医用画像や、当該医用画像を表示する際の透明度・カラーマップ・画像の回転や拡大／縮小等の表示条件の設定（ワークリスト）も保存することができる。管理サーバ１２０で管理されている医用画像は、医療施設Ａ１６０内の情報処理装置１１０からアクセスすることができ、所望の場所で閲覧することができる。また、管理サーバ１２０から取得された医用画像は、表示条件の設定（ワークリスト）を適用した状態で表示されることにより、複数の情報処理装置１１０において同一の表示条件で閲覧することが出来る。
【００１８】
管理サーバ１５０は、医療施設Ａ１６０外からもアクセス可能に設けられているクラウドサーバ等であり、医療施設Ａ１６０内のモダリティ１４０から撮影された医用画像や情報処理装置１１０で設定された表示条件の設定（ワークリスト）を、院内の管理サーバ１２０や院内の情報処理装置１１０を介して取得し保存・管理することができる。また、管理サーバ１５０は、医療施設Ａ１６０以外の別の医療施設Ｂ１７０等からの医用画像管理も行うこともできる。管理サーバ１２０で管理されている医用画像は、医療施設Ａ１６０内の情報処理装置１１０や医療施設Ｂ１７０の情報処理装置１３０や医師自宅１８０の情報処理装置１３０等からアクセスすることができ、所望の場所で閲覧することができる。また、管理サーバ１５０から取得された医用画像は、表示条件の設定（ワークリスト）を適用した状態で表示されることにより、複数の情報処理装置１１０、１３０において同一の表示条件で閲覧することが出来る。
【００１９】
情報処理装置１３０は、医療施設Ｂ１７０や医師自宅１８０に設けられており、管理サーバ１２０や管理サーバ１５０で管理されている医用画像データを取得して表示したり、医用画像データに対して各種処理を行うことができるワークステーション（医用画像処理装置）である。情報処理装置１３０は、各種処理を行った後の表示条件であるワークリストを管理サーバ１２０や管理サーバ１５０に保存させることができる。また、管理サーバ１２０や管理サーバ１５０で保存されている医用画像データとともに当該医用画像データに対応するワークリストを取得し、医用画像データにワークリストを適用させて、保存時の表示状態を再現して表示することができる。
【００２０】
図２は、情報処理装置１１０、１３０、管理サーバ１２０、１５０のハードウェア構成の一例を示す図である。
【００２１】
ＣＰＵ２０１は、システムバス２０４に接続される各デバイスやコントローラを統括的に制御する。
【００２２】
また、ＲＯＭ２０２あるいは外部メモリ２１１（記憶手段）には、ＣＰＵ２０１の制御プログラムであるＢＩＯＳ（Ｂａｓｉｃ  Ｉｎｐｕｔ  ／  ＯｕｔｐｕｔＳｙｓｔｅｍ）やオペレーティングシステムプログラム（以下、ＯＳ）や、情報処理装置１１０、１３０、管理サーバ１２０、１５０の実行する機能を実現するために必要な後述する各種プログラム等が記憶されている。ＲＡＭ２０３は、ＣＰＵ２０１の主メモリ、ワークエリア等として機能する。
外部メモリ２１１は、本発明における、医用画像データを記憶可能な記憶手段の一例である。
【００２３】
ＣＰＵ２０１は、処理の実行に際して必要なプログラム等をＲＡＭ２０３にロードして、プログラムを実行することで各種動作を実現するものである。
【００２４】
また、入力コントローラ２０５は、キーボードや不図示のマウス等のポインティングデバイス等の入力デバイス２０９からの入力を制御する。
【００２５】
ビデオコントローラ２０６は、ディスプレイ２１０等の表示器への表示を制御する。表示器の種類はＣＲＴや、液晶ディスプレイを想定するが、これに限らない。
【００２６】
メモリコントローラ２０７は、ブートプログラム、ブラウザソフトウエア、各種のアプリケーション、フォントデータ、ユーザファイル、編集ファイル、各種データ等を記憶するハードディスクやフレキシブルディスク或いはＰＣＭＣＩＡカードスロットにアダプタを介して接続されるカード型メモリ等の外部メモリ２１１へのアクセスを制御する。
【００２７】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２８】
尚、ＣＰＵ２０１は、例えばＲＡＭ２０３内の表示情報用領域へアウトラインフォントの展開（ラスタライズ）処理を実行することにより、ディスプレイ２１０上での表示を可能としている。
【００２９】
また、ＣＰＵ２０１は、ディスプレイ２１０上の不図示のマウスカーソル等でのユーザ指示を可能とする。
【００３０】
本発明の各端末が後述する各種処理を実行するために用いられる各種プログラム等は外部メモリ２１１に記録されており、必要に応じてＲＡＭ２０３にロードされることによりＣＰＵ２０１によって実行されるものである。
【００３１】
さらに、本発明に係わるプログラムが用いる定義ファイルや各種情報テーブルは外部メモリ２１１に格納されている。
【００３２】
本実施形態の以下の説明では、情報処理装置１１０と管理サーバ１５０とのデータのやり取りを例に示すが情報処理装置１１０の代わりに情報処理装置１３０でもよく、また、管理サーバ１５０の代わりに院外からアクセスすることができれば管理サーバ１２０でもよい。
【００３３】
図３は、情報処理装置１１０と、管理サーバ１５０の機能構成を説明するブロックの一例を示す図である。情報処理装置１１０は、設定受付部３０１と、保存指示受付部３０２と、特定条件送信部３０３と、結果取得部３０７と、送信部３０８とを有する。管理サーバ１５０は、特定条件受信部３０４と、判断部３０５と、結果送信部３０６と、記憶制御部３０９とを有する。
【００３４】
情報処理装置１１０の設定受付部３０１は、医用画像データに対する、表示条件の設定をユーザから受け付ける機能部である。
【００３５】
情報処理装置１１０の保存指示受付部３０２は、設定受付部３０１で受け付けられた表示条件の設定を管理サーバ１５０に保存させる指示をユーザから受け付ける機能部である。
【００３６】
情報処理装置１１０の特定条件送信部３０３は、保存指示受付部３０２により保存指示を受け付けた医用画像データを特定可能な特定情報を管理サーバ１５０に送信する機能部である。
【００３７】
管理サーバ１５０の特定条件受信部３０４は、特定条件送信部３０３から送信された特定情報を受信する機能部である。
【００３８】
管理サーバ１５０の判断部３０５は、特定条件受信部３０４により受け付けた前記医用画像データを特定可能な特定情報を用いて、医用画像データが管理サーバ１５０の外部メモリ２１１に記憶されている否か判断する機能部である。
【００３９】
管理サーバ１５０の結果送信部３０６は、管理サーバ１５０の判断部３０５により判断された結果を情報処理装置１１０に送信する機能部である。
【００４０】
情報処理装置１１０の結果取得部３０７は、管理サーバ１５０の結果送信部３０６により送信された、医用画像データが管理サーバ１５０の外部メモリ２１１に記憶されているか否かを示す結果を取得する機能部である。
【００４１】
情報処理装置１１０の送信部３０８は、情報処理装置１１０の結果取得部３０７により取得された結果が、医用画像データが管理サーバ１５０の外部メモリ２１１に記憶されていないとの結果である場合には、医用画像データと情報処理装置１１０の設定受付部３０１で受け付けた医用画像データに対する表示条件の設定とを管理サーバ１５０の外部メモリ２１１に記憶すべく送信し、情報処理装置１１０の結果取得部３０７により取得された結果が、医用画像データが管理サーバ１５０の外部メモリ２１１に記憶されているとの結果である場合には、情報処理装置１１０の設定受付部３０１で受け付けた医用画像データに対する表示条件の設定を管理サーバ１５０の外部メモリ２１１に記憶すべく送信する機能部である。
【００４２】
管理サーバ１５０の記憶制御部３０９は、情報処理装置１１０の送信部３０８により送信された情報を管理サーバ１５０の外部メモリ２１１に記憶させる機能部であり、具体的には、送信部３０８によって医用画像データと当該医用画像データに対する表示条件の設定とが送信された場合には、当該医用画像データと対応する表示条件の設定とを管理サーバ１５０の外部メモリ２１１に記憶し、送信部３０８によって医用画像データに対する表示条件の設定だけが送信された場合には、既に外部メモリ２１１に記憶されている対応する医用画像データと紐づけて表示条件の設定を管理サーバ１５０の外部メモリ２１１に記憶させる。
【００４３】
次に、図４（Ａ）を用いて、ＤＩＣＯＭ規格による階層構成を説明する。モダリティ１４０においては、このＤＩＣＯＭ規格に準拠した規格で医用画像が撮像され、ＤＩＣＯＭ規格に則って管理サーバ１２０や管理サーバ１５０で保存されている。
【００４４】
ＤＩＣＯＭ規格は、医用画像情報ネットワークシステムを実現するために規定された規格であり、モダリティ情報，検査情報，患者情報など、各種診断情報の内容やデータ構造等が定義されている。さらに、ＤＩＣＯＭ規格では、各患者情報の下位に、Ｓｔｕｄｙ（検査情報）、Ｓｅｒｉｅｓ（シリーズ情報）、Ｉｍａｇｅ（画像情報）の階層をなして分類管理されている。ここで、Ｓｔｕｄｙとは、例えば、患者の検査の実施日という概念であり、Ｓｅｒｉｅｓとは、当該患者に対する検査が、ＣＴ、ＭＲＩといった複数のモダリティにより撮影された場合のモダリティ種別や複数に分けて撮影されたことを示す種別を示す。また、Ｉｍａｇｅは、各種のモダリティにより撮影個々の画像（医用画像）そのものを示す。すなわち、Ｓｔｕｄｙは、ある患者のある日付の検査を表わし、Ｓｉｒｉｅｓはモダリティの種別を表し、Ｉｍａｇｅは撮影された個々の画像（医療画像）を表す画像特定情報である。
【００４５】
また、このようなＤＩＣＯＭ規格では、Ｓｔｕｄｙ（検査情報）、Ｓｅｒｉｅｓ（シリーズ情報）、Ｉｍａｇｅ（画像情報）といった分類をそれぞれ識別情報（Ｕｎｉｑｕｅ  ＩＤ）を用いて管理している。具体的には、図４（Ａ）に示すように、Ｓｔｕｄｙ（検査情報）は、ＳｔｕｄｙＩｎｓｔａｎｃｅＵＩＤ、Ｓｅｒｉｅｓ（シリーズ情報）は、ＳｅｒｉｅｓＩｎｓｔａｎｃｅＵＩＤ、Ｉｍａｇｅ（画像情報）は、ＳＯＰＩｎｓｔａｎｃｅＵＩＤとして管理されている。
【００４６】
図４（Ｂ）は、情報処理装置１１０，１３０から管理サーバ１５０に送信された表示条件の設定（ワークリスト）をＤＩＣＯＭ規格の医用画像と紐づけて管理する際の階層構造の一例を示す図である。
【００４７】
ここでは表示条件の設定（ワークリスト）４０４を、Ｓｅｒｉｅｓと同一階層で管理する例を示している。このような表示条件の設定４０４には、当該表示画像の設定に対応する医用画像を特定可能な画像特定情報（ＳＯＰＩｎｓｔａｎｃｅＵＩＤ）とともに、マスクと、視点（視点情報）と、オパシティと、ＷｉｎｄｏｗＬｅｖｅｌ（ウィンドウレベル値）／ＷｉｎｄｏｗＷｉｄｔｈ（ウィンドウ幅値）、カラーマップ（表示色情報）、画像の回転や拡大／縮小等の医用画像を表示する際の表示条件のみならず、２Ｄ断面位置や解析パラメータ等のワークステーションの設定条件を含めることもできる。
【００４８】
マスクとは、医用画像データに含まれる各ボクセルの表示させる領域と表示させない領域とを指定する領域情報であり、ここで表示すると指定されている領域がワークリストを読み込んだ際に表示される領域となる。視点情報とは、ボリュームレンダリングを行う際に用いられる視線および視点の情報である。オパシティとは、ボリュームレンダリングの信号値に対する不透明度および全体の不透明度情報である。ＷｉｎｄｏｗＬｅｖｅｌとは、グレイスケールで表示させる際に中心となる信号値であり、ＷｉｎｄｏｗＷｉｄｔｈとは、濃淡表示する範囲のことをいう。つまりモダリティで撮影された医用画像の信号値を０〜２５５の階調で表示する際に用いられる値である。カラーマップ情報は、信号値に対応した色のマップであり、ボリュームレンダリングされた画像で表示する色である。
【００４９】
また、２Ｄ断面位置とは、医用画像をワークステーション上で表示するアキシャル面／サジタル面／コロナル面／オブリーク面の中心位置座標である。解析パラメータの情報とは、解析ソフトごとに適宜設定可能な情報であり、例えば、大腸解析の場合には、ワークステーション上で表示する画面レイアウト、大腸解析により特定されたポリープ位置、大腸解析時に行ったクレンジング情報等の設定情報である。
【００５０】
また、表示条件の設定４０４には、タグ情報（付加情報）も設けられており、表示条件を設定した医用画像の検査情報（ＳｔｕｄｙＩｎｓｔａｎｃｅＵＩＤ）や患者ＩＤ等の、当該医用画像のＤＩＣＯＭ付帯情報から取得された情報が含まれている。このようにタグ情報が設けられていることにより、図４（Ｂ）に示すように管理サーバ上で検査情報と紐づけて表示条件の設定を管理することができる。
【００５１】
（第１の実施形態）
【００５２】
次に、図５、図８を用いて表示条件の設定（ワークリスト）を保存する流れを説明する。
【００５３】
図５は、情報処理装置１１０上で作成された表示条件の設定を、管理サーバ１５０に保存する際の流れを説明するためのフローチャートの一例である。図８は、情報処理装置１１０に保存される管理サーバ１５０の保存先パスの保存先のテーブルの一例を示す図である。
【００５４】
図５の各ステップは、情報処理装置１１０のＣＰＵ２０１と管理サーバ１５０のＣＰＵ２０１が記憶されている制御プログラムを読み出して実行することで実現される。なお、図５に示す処理内容や処理順はあくまで一例であり、これに限らない。
【００５５】
以下の図５の処理は、ユーザ（例えば医師や、放射線技師）の操作に従って、医用画像データを表示するためのビューア（医用画像処理ソフトウェア）を起動させた状態の情報処理装置１１０で行われる。なお、ビューアの起動時には、ユーザの認証処理を、ログインするユーザのユーザＩＤやパスワードを用いて行ってもよい。
【００５６】
ステップＳ５０２では、情報処理装置１１０のＣＰＵ２０１は、管理サーバ１２０や管理サーバ１５０等から所望の医用画像データを取得し、医用画像データを用いて３次元医用画像を生成して表示する。ステップＳ５０２の詳細は後述する（図６）。なお、医用画像データは、管理サーバ１２０や管理サーバ１５０のみならず、モダリティ１４０から取得することも可能である。
【００５７】
ステップＳ５０３では、情報処理装置１１０のＣＰＵ２０１は、ステップＳ５０２で表示されている３次元医用画像の表示条件の設定を受け付け、当該設定された条件で３次元画像を表示する。このような表示条件の設定は、例えば医用画像を表示する際の透明度・カラーマップ・画像の回転や拡大／縮小等である。
【００５８】
ステップＳ５０４では、情報処理装置１１０のＣＰＵ２０１は表示条件の設定（ワークリスト）保存ボタンを押下か否かを判定する。
【００５９】
ステップＳ５０４において、表示条件の設定（ワークリスト）保存ボタンが押下された場合は（ステップＳ５０４：ＹＥＳ）、ステップＳ５０５へ処理を移行する。表示条件の設定（ワークリスト）保存ボタンが押下されていない場合は（ステップＳ５０４：ＮＯ）、ステップＳ５０４に処理を戻す。
【００６０】
ステップＳ５０５では、情報処理装置１１０のＣＰＵ２０１は、予め設定されている医用画像やワークリストの保存指示を受け付けた際に保存する保存先情報を取得する。このような保存先情報は、図８に示すような情報処理装置１１０の外部メモリ２１１に保存されるテーブルにいて保存先８０１として管理されている。
【００６１】
次に、ステップＳ５０６では、情報処理装置１１０のＣＰＵ２０１は、Ｓ５０２で取得され表示されている医用画像データの付帯情報から検査情報（ＳｔｕｄｙＩｎｓｔａｎｃｅＵＩＤ）と当該表示画像の全画像特定情報（ＳＯＰＩｎｓｔａｎｃｅＵＩＤ）とを取得し、管理サーバ１５０へ送信する。
【００６２】
ステップＳ５０７では、管理サーバ１５０のＣＰＵ２０１は、ステップＳ５０６で送信された検査情報（ＳｔｕｄｙＩｎｓｔａｎｃｅＵＩＤ）と画像特定情報（ＳＯＰＩｎｓｔａｎｃｅＵＩＤ）とを受信する。
【００６３】
ステップＳ５０８では、管理サーバ１５０のＣＰＵ２０１は、ステップＳ５０７で受信した検査情報（ＳｔｕｄｙＩｎｓｔａｎｃｅＵＩＤ）と同一の検査情報（ＳｔｕｄｙＩｎｓｔａｃｅＵＩＤ）が、管理サーバ１５０の外部メモリ２１１等の記憶手段に記憶されているか否か（本発明における判断手段による判断結果の一例）を判段する。
【００６４】
ステップＳ５０８において、同一の検査情報（ＳｔｕｄｙＩｎｓｔａｃｅＵＩＤ）が管理サーバ１５０の記憶手段に記憶されている場合は（ステップＳ５０８：ＹＥＳ）、ステップＳ５１１へ処理を移行する。同一の検査情報（ＳｔｕｄｙＩｎｓｔａｎｃｅＵＩＤ）が記憶されていない場合は（ステップＳ５０８：ＮＯ）、ステップＳ５１２へ処理を移行し、同一の検査情報が記憶されていない旨を確認結果としてメモリに記憶する。
【００６５】
ステップＳ５１１では、管理サーバ１５０のＣＰＵ２０１は、Ｓ５０７で取得した画像特定情報（ＳＯＰＩｎｓｔａｎｃｅＵＩＤ）と同一の画像特定情報（ＳＯＰＩｎｓｔａｎｃｅＵＩＤ）の医用画像が、管理サーバ１５０の外部メモリ２１１等の記憶手段に記憶されているか否かを判断する。ここの処理は、Ｓ５０７で取得した画像特定情報（ＳＯＰＩｎｓｔａｎｃｅＵＩＤ）分繰り返し行われる。すなわち、表示条件の設定に用いた医用画像の枚数が４６７枚である場合には、画像特定情報は４６７つ分受信されているため、ステップＳ５１１の処理は４６７回繰り返されることになる。
【００６６】
なお、ステップＳ５１１で一致する画像特定情報（ＳＯＰＩｎｓｔａｎｃｅＵＩＤ）が記憶されていると判断された場合は（ステップＳ５１１：ＹＥＳ）、画像特定情報（ＳＯＰＩｎｓｔａｎｃｅＵＩＤ）が管理サーバ１５０上に記憶されているとする結果をメモリに確認結果として記憶し、一致する画像特定情報（ＳＯＰＩｎｓｔａｎｃｅＵＩＤ）が記憶されていないと判断された場合は（ステップＳ５１１：ＮＯ）、画像特定情報（ＳＯＰＩｎｓｔａｎｃｅＵＩＤ）が管理サーバ１５０上に記憶されていないとする結果をメモリに確認結果として記憶しておく。
【００６７】
ステップＳ５１２では、管理サーバ１５０のＣＰＵ２０１は、ステップＳ５１１の判断に応じてメモリに記憶された確認結果（医用画像データがサーバの記憶手段に記憶されているか否か判断可能な情報）を情報処理装置１１０に送信する。
【００６８】
ステップＳ５１２は、本発明における受信手段により受信した特定情報を用いて、前記医用画像データが前記サーバの記憶手段に記憶されているか否か判断可能な情報を前記情報処理装置に送信する。
【００６９】
ステップＳ５１３では、情報処理装置１１０のＣＰＵ２０１は、ステップＳ５１２で送信された確認結果を受信する。
【００７０】
ステップＳ５１４では、情報処理装置１１０のＣＰＵ２０１は、ステップＳ５１３で受信した確認結果が、検査情報（ＳｔｕｄｙＩｎｓｔａｎｃｅＵＩＤ）が管理サーバ１５０に存在しないとする確認結果か否かを判断する。
【００７１】
ステップＳ５１４において、検査情報（ＳｔｕｄｙＩｎｓｔａｎｃｅＵＩＤ）が存在しないとする確認結果であると判断された場合は（ステップＳ５１４：ＹＥＳ）、ステップＳ５２０へ処理を移行する。一方検査情報（Ｓｔｕｄｙ  Ｉｎｓｔａｎｃｅ  ＵＩＤ）が存在するとする確認結果であると判断された場合は（ステップＳ５１４：ＮＯ）、ステップＳ５１５へ処理を移行する。
【００７２】
ステップＳ５１５では、情報処理装置１１０のＣＰＵ２０１は、Ｓ５１３で受信した確認結果をもとに、管理サーバ１５０に記憶されていない医用画像データが存在する結果か否かを判断する。
【００７３】
ステップＳ５１５において、管理サーバ１５０に記憶されていない医用画像データが存在すると判断された場合は（ステップＳ５１５：ＹＥＳ）、ステップＳ５１７へ処理を移行する。一方管理サーバ１５０に記憶されていない医用画像データが存在しないと判断された場合は（ステップＳ５１５：ＮＯ）、ステップＳ５１６へ処理を移行する。
【００７４】
ステップＳ５１６では、表示条件の設定に用いられた医用画像データは全て管理サーバ１５０上で記憶されているといえるため、情報処理装置１１０のＣＰＵ２０１は、表示条件の設定だけを管理サーバ１５０に送信する。
【００７５】
ステップＳ５１７では、表示条件の設定に用いられた医用画像データのうち少なくとも一部が管理サーバ１５０上で記憶されているといえるため、情報処理装置１１０のＣＰＵ２０１は、確認結果をもとに記憶されていないと特定される医用画像データと表示条件の設定とを管理サーバ１５０に送信する。
【００７６】
ステップＳ５２０では、表示条件の設定に用いられた医用画像データは全て管理サーバ１５０上に記憶されていないといえるため、情報処理装置１１０のＣＰＵ２０１は、表示条件の設定に用いられた全ての医用画像データと表示条件の設定とを管理サーバ１５０に送信する。
【００７７】
ステップＳ５１８では、管理サーバ１５０のＣＰＵ２０１は、ステップＳ５１６、ステップＳ５１７、ステップＳ５２０で、情報処理装置１１０から送信された表示条件の設定、または、医用画像データと表示条件の設定を受信する。
【００７８】
ステップＳ５１９では、管理サーバ１５０のＣＰＵ２０１は、ステップＳ５１８で受信した表示条件の設定、または医用画像データと表示条件の設定を管理サーバ１５０の記憶手段に保存する。
【００７９】
以上のようにすることで、複数の情報処理装置から同じ表示条件で医用画像データを確認できる環境を構築する際に、ユーザが保存時に医用画像データとともに表示条件の設定を保存するのか、表示条件の設定のみを保存させるのか選択することなく、管理サーバ上に複数の医用画像データが重複して保存されることを防止することができる。すなわち、ユーザの保存時の煩雑さを軽減しつつも、サーバの負荷を軽減することができる。
【００８０】
なお、本実施形態においては、管理サーバ上に同一の検査情報が保存されているか、同一の画像特定情報が保存されているかを、管理サーバ側で判断し、当該判断結果を情報処理装置１１０に送信する例をもとに説明を行ったが、サーバから送信された情報をもとに情報処理装置１１０で判断してもよい。
【００８１】
さらに、本実施形態においては、送信する医用画像データを特定する際に、検査情報と画像特定情報とを用いる例を説明したが、重複せずに医用画像データが管理サーバ上で保存することができればよく、検査情報だけを用いて判断したり、画像特定情報だけを用いて判断したり、その他のシリーズ情報等を用いて判断させてもよい。
【００８２】
次に、図６と図７を用いて、３次元医用画像をビューワで表示する際の流れを説明する。図６のフローチャートは、Ｓ５０２で行われる３次元医用画像を生成して表示する流れを説明する図である。図７は、情報処理装置１１０に搭載されたビューワ（医用画像処理ソフトウェア）を起動した際に表示される画面の一例を示す図である。
【００８３】
なお、図６においては管理サーバ１５０から取得される例を用いて説明するが、管理サーバ１２０から取得する場合も同様である。図６の各ステップは、情報処理装置１１０のＣＰＵ２０１と管理サーバ１５０のＣＰＵ２０１が記憶されている制御プログラムを読み出して実行することで実現される。
【００８４】
ステップＳ６０１では、情報処理装置１１０のＣＰＵ２０１は、管理サーバ１５０に対して図７に示すような情報処理装置１１０のビューワの画面を介して検索要求を行い、検索結果である一覧リストを要求する。図７に示すビューワの画面には、患者名７０１や患者ＩＤ７０２や検査ＩＤ７０３や検査日やカレンダー等が設けられており、条件を入力した状態で検索ボタン７０４が押下されることにより、情報処理装置１１０、１３０内若しくは管理サーバ１２０、１５０に記憶されている医用画像データが検索される。
【００８５】
ステップＳ６０２では、管理サーバ１５０のＣＰＵ２０１は、ステップＳ６０１で要求された一覧リストの要求を受信する。
【００８６】
ステップＳ６０３では、管理サーバ１５０のＣＰＵ２０１は、ステップＳ６０２で受信した一覧リストを情報処理装置１１０に送信する。
【００８７】
ステップＳ６０４では、情報処理装置１１０のＣＰＵ２０１は、ステップＳ６０３で送信された一覧リストを受信し、ビューアに検査情報一覧画面７０５を表示させ、ユーザの指定を受け付可能とする。
【００８８】
一覧リストの検査情報一覧画面７０５には、検査情報（ＳｔｕｄｙＩｎｓｔａｎｃｅＵＩＤ）７０６、患者名７０７、患者ＩＤ７０８、性別７０９、最新日時７１０、モダリティ７１１、年齢７１２、状態７１３、コメント７１４等の医用画像データの付帯情報から取得される情報が表示される。
【００８９】
ユーザが、検査情報一覧画面７０５上で所望の検査情報を選択すると、シリーズ情報一覧画面７１５に当該検査情報のシリーズＮｏ．７１６、ピクセルサイズ７１７、ＦＯＶ７１８、検査日時７１９、モダリティ７２０、画像枚数７２１、検査ＩＤ７２２等のシリーズ情報が表示される。なお、シリーズの画像のサムネイル等も表示領域７２３に表示される。これは各シリーズ情報が対応する検査情報と紐づけて管理されているためである。そのため検査情報を選択することによりそこに含まれるシリーズ情報が表示される。なお、本実施形態においては、図４（Ｂ）で示したように表示条件の設定４０４はシリーズ情報と同一階層で保存されているため、シリーズＮｏ，１０７３４のシリーズと、表示条件００１と表示条件００２という表示条件の設定（ワークリスト）が表示される。
【００９０】
そして、ステップＳ６０５において、情報処理装置１１０のＣＰＵ２０１は、シリーズ情報一覧画面７１５で所望のシリーズが選択された状態で、複数の断層画像をもとに３次元表示を行う３Ｄ描画ボタン７２４や不図示の解析処理を開始するボタンが押下され、ユーザによる３次元医用画像の表示指示が行われたか否かを判断する。表示指示が行われたと判断された場合には（ステップＳ６０５：ＹＥＳ）、ステップＳ６０６へ処理を移行する。
【００９１】
ステップＳ６０６では、情報処理装置１１０のＣＰＵ２０１は、管理サーバ１５０にステップＳ６０５で選択されたシリーズの医用画像データの取得要求を行う。
【００９２】
なお、ここで選択して取得要求することができるシリーズは、シリーズＮｏ．１０７３４のような医用画像自体のみならず、［Ｍ］表示条件００１、［Ｍ］表示条件００２といったワークリストもシリーズとして選択することができる。なお、所望のシリーズの表示要求は、各所望の処理を開始するボタンを押下した後であっても行うことは可能である。
【００９３】
ステップＳ６０７では、管理サーバ１５０のＣＰＵ２０１は、ステップＳ６０６で取得要求されたシリーズが、ワークリストの取得要求か否かを判定する。［Ｍ］表示条件００１、［Ｍ］表示条件００２が選択されておりワークリストの取得要求の場合は（ステップＳ６０７：ＹＥＳ）、ステップＳ６１３へ処理を移行し、シリーズＮｏ．１０７３４のような医用画像データ自体の取得要求であり、ワークリストの取得要求でない場合は（ステップＳ６０７：ＮＯ）、ステップＳ６０８へ処理を移行する。
【００９４】
ステップＳ６０８では、管理サーバ１５０のＣＰＵ２０１は、ステップＳ６０６で取得要求がされたシリーズの医用画像データを管理サーバ１５０の記憶手段の中から特定する。
【００９５】
ステップＳ６０９では、管理サーバ１５０のＣＰＵ２０１は、ステップＳ６０８で特定されたシリーズの医用画像データを情報処理装置１１０に送信する。
【００９６】
ステップＳ６１０では、情報処理装置１１０のＣＰＵ２０１は、ステップＳ６０９で送信された医用画像データを受信する。
【００９７】
ステップＳ６１１では、情報処理装置１１０のＣＰＵ２０１は、受信した医用画像データを用いて３次元医用画像を生成する。
【００９８】
一方ステップＳ６１３では、管理サーバ１５０のＣＰＵ２０１は、選択されたワークリストと、当該ワークリストに対応する医用画像データを、管理サーバ１５０の記憶手段の中から特定する。具体的には、選択された表示条件（ワークリスト）に含まれている画像特定情報（ＳｏｐＩｎｓｔａｎｃｅＵＩＤ）をもとに、対応する医用画像データを特定する。すなわち図４（Ｂ）に示す構成で管理サーバ１５０に管理されていることから対応する医用画像データを特定することができる。
【００９９】
ステップＳ６１４では、管理サーバ１５０のＣＰＵ２０１は、ステップＳ６１３で特定したワークリストと医用画像データとを情報処理装置１１０に送信する。
【０１００】
ステップＳ６１２では、情報処理装置１１０のＣＰＵ２０１は、ステップＳ６１４で送信されたワークリストと医用画像データとを管理サーバ１５０から受信する（本発明におけるデータ取得手段の一例）。
【０１０１】
ステップＳ６１５では、情報処理装置１１０のＣＰＵ２０１は、ステップＳ６１２で受信したワークリストと医用画像データとを用い、当該ワークリストで設定された表示条件を医用画像データに適用して３次元医用画像を生成する（本発明における表示条件の設定を適用して画像を表示するべく制御する表示制御手段の一例）。
【０１０２】
ステップＳ６１６では、情報処理装置１１０のＣＰＵ２０１は、ステップ６１１及びステップＳ６１５で生成した３次元医用画像を表示端末２１０に表示する。
【０１０３】
以上が３次元医用画像をビューワで表示する際の流れの説明である。このように、ワークリストが保存されている場合には当該ワークリストの内容を適用して３次元医用画像を表示することが出来るため、外部からもアクセスできる管理サーバ上などにワークリストを保存し、複数の拠点から取得できるようにすることで、同じ表示条件で医用画像データを確認できる環境を構築することができる。
【０１０４】
（第２の実施形態）
【０１０５】
第１の実施形態においては、管理サーバの記憶手段に保存されているデータの状況に応じて情報処理装置１１０から送信するデータを変更すること管理サーバに記憶されるデータを制御する例を説明したが、本実施形態においては、情報処理装置１１０から送信されるデータは共通であるが、管理サーバに保存されているデータの状況に応じて管理サーバの記憶手段に格納するデータを制御する例を説明する。
【０１０６】
本実施形態においては、第１の実施形態と同じ部分は省略し、異なる部分を中心に説明を行う。
【０１０７】
図９は、第２の実施形態に係る管理サーバ１５０に表示条件の設定を保存する流れを説明するためのフローチャートの一例を示す図である。
【０１０８】
図９の各ステップは、情報処理装置１１０のＣＰＵ２０１と管理サーバ１５０のＣＰＵ２０１が記憶されている制御プログラムを読み出して実行することで実現される。なお、図９に示す処理内容や処理順はあくまで一例であり、これに限らない。
【０１０９】
ステップＳ９０２乃至Ｓ９０５の処理は、図５のステップＳ５０２乃至Ｓ５０５と同様であるため説明を省略する。
【０１１０】
ステップＳ９０６では、情報処理装置１１０のＣＰＵ２０１は、表示されている３次元医用画像に対応する医用画像データとＳ９０３で受け付けた表示条件の設定とを管理サーバ１５０へ送信する。
【０１１１】
ステップＳ９０７では、管理サーバ１５０のＣＰＵ２０１は、ステップＳ９０６で送信された医用画像データとＳ１００３で受け付けた表示条件の設定とを受信する。
【０１１２】
ステップＳ９０８では、管理サーバ１５０のＣＰＵ２０１は、Ｓ９０７で受信した医用画像データの検査情報と同一の検査情報が管理サーバ１５０の記憶手段内に記憶されているか否かを判断する。
【０１１３】
ステップＳ９０８において、同一の検査情報（ＳｔｕｄｙＩｎｓｔａｎｃｅＵＩＤ）が記憶されている場合は（ステップＳ９０８：ＹＥＳ）、ステップＳ９０９へ処理を移行し、同一の検査情報（ＳｔｕｄｙＩｎｓｔａｎｃｅＵＩＤ）が記憶されていない場合は（ステップＳ９０８：ＮＯ）、ステップＳ９１１へ処理を移行する。
【０１１４】
ステップＳ９１１では、管理サーバ１５０のＣＰＵ２０１は、Ｓ９０７で受信した全医用画像データとワークリストとを管理サーバ１５０の記憶手段に保存する。
【０１１５】
ステップＳ９０９では、管理サーバ１５０のＣＰＵ２０１は、Ｓ９０７で取得した医用画像データの画像特定情報（ＳＯＰＩｎｓｔａｎｃｅＵＩＤ）と同一の画像特定情報（ＳＯＰＩｎｓｔａｎｃｅＵＩＤ）の医用画像が、管理サーバ１５０の記憶手段に記憶されているか否かを判断する。ここの処理は、Ｓ９０７で取得した医用画像データ分繰り返し行われる。
【０１１６】
なお、ステップＳ９０９で一致する画像特定情報（ＳＯＰＩｎｓｔａｎｃｅＵＩＤ）が記憶されていると判断された場合は（ステップＳ９０９：ＹＥＳ）、画像特定情報（ＳＯＰＩｎｓｔａｎｃｅＵＩＤ）が管理サーバ１５０上に記憶されているとする結果をメモリに一次記憶し、一致する画像特定情報（ＳＯＰＩｎｓｔａｎｃｅＵＩＤ）が記憶されていないと判断された場合は（ステップＳ９０９：ＮＯ）、画像特定情報（ＳＯＰＩｎｓｔａｎｃｅＵＩＤ）が管理サーバ１５０上に記憶されていないとする結果をメモリに一次記憶しておく。
【０１１７】
ステップＳ９１０では、Ｓ９０７で受信した医用画像データのうち少なくとも一部が管理サーバ１５０上で記憶されていないため、管理サーバ１５０のＣＰＵ２０１は、Ｓ９０９で一次記憶された結果をもとに記憶されていないと特定される医用画像データとワークリストとを管理サーバ１５０の記憶手段に保存する。
【０１１８】
以上のようにすることで、複数の情報処理装置から同じ表示条件で医用画像データを確認できる環境を構築する際に、ユーザが保存時に医用画像データとともに表示条件の設定を保存するのか、表示条件の設定のみを保存させるのか選択することなく、管理サーバ上に複数の医用画像データが重複して保存されることを防止することができる。すなわち、ユーザの保存時の煩雑さを軽減しつつも、サーバの負荷を軽減することができる。
【０１１９】
以上で第２の実施形態の説明を終了する。
【０１２０】
本発明は、例えば、システム、装置、方法、装置が実行可能なプログラムもしくは記憶媒体等としての実施態様をとることが可能であり、具体的には、複数の機器から構成されるシステムに適用してもよいし、また、１つの機器からなる装置に適用してもよい。
【０１２１】
なお、本発明は、前述した実施形態の機能を実現するソフトウェアのプログラムを、システム或いは装置に直接、或いは遠隔から供給するものを含む。そして、そのシステム或いは装置の情報処理装置が前記供給されたプログラムコードを読み出して実行することによっても達成される場合も本発明に含まれる。
【０１２２】
したがって、本発明の機能処理を情報処理装置で実現するために、前記情報処理装置にインストールされるプログラムコード自体も本発明を実現するものである。つまり、本発明は、本発明の機能処理を実現するためのコンピュータプログラム自体も含まれる。
【０１２３】
その場合、プログラムの機能を有していれば、オブジェクトコード、インタプリタにより実行されるプログラム、ＯＳに供給するスクリプトデータ等の形態であってもよい。
【０１２４】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷなどがある。また、磁気テープ、不揮発性のメモリカード、ＲＯＭ、ＤＶＤ（ＤＶＤ−ＲＯＭ，ＤＶＤ−Ｒ）などもある。
【０１２５】
その他、プログラムの供給方法としては、クライアントコンピュータのブラウザを用いてインターネットのホームページに接続する。そして、前記ホームページから本発明のコンピュータプログラムそのもの、若しくは圧縮され自動インストール機能を含むファイルをハードディスク等の記録媒体にダウンロードすることによっても供給できる。
【０１２６】
また、本発明のプログラムを構成するプログラムコードを複数のファイルに分割し、それぞれのファイルを異なるホームページからダウンロードすることによっても実現可能である。つまり、本発明の機能処理を情報処理装置で実現するためのプログラムファイルを複数のユーザに対してダウンロードさせるＷＷＷサーバも、本発明に含まれるものである。
【０１２７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせる。そして、ダウンロードした鍵情報を使用することにより暗号化されたプログラムを実行して情報処理装置にインストールさせて実現することも可能である。
【０１２８】
また、情報処理装置が、読み出したプログラムを実行することによって、前述した実施形態の機能が実現される。その他、そのプログラムの指示に基づき、情報処理装置上で稼動しているＯＳなどが、実際の処理の一部又は全部を行い、その処理によっても前述した実施形態の機能が実現され得る。
【０１２９】
さらに、記録媒体から読み出されたプログラムが、情報処理装置に挿入された機能拡張ボードや情報処理装置に接続された機能拡張ユニットに備わるメモリに書き込まれる。その後、そのプログラムの指示に基づき、その機能拡張ボードや機能拡張ユニットに備わるＣＰＵなどが実際の処理の一部又は全部を行い、その処理によっても前述した実施形態の機能が実現される。
【０１３０】
なお、前述した実施形態は、本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【０１３１】
１１０  情報処理装置
１２０  管理サーバ
１３０  情報処理装置
１４０  モダリティ
１５０  管理サーバ
【図１】
2017118913.tif 000003
【図２】
2017118913.tif 000004
【図３】
2017118913.tif 000005
【図４】
2017118913.tif 000006
【図５】
2017118913.tif 000007
【図６】
2017118913.tif 000008
【図７】
2017118913.tif 000009
【図８】
2017118913.tif 000010
【図９】
2017118913.tif 000011
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
医用画像データを記憶可能な記憶手段を備えたサーバと通信可能な情報処理装置であって、
医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されている否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、
を備えることを特徴とする情報処理装置。
【請求項２】
前記設定受付手段は、前記医用画像データが表示された画面を介して前記表示条件の設定を受け付けることを特徴とする請求項１に記載の情報処理装置。
【請求項３】
前記医用画像データに対する表示条件は、前記医用画像データから生成される３次元医用画像に対する、ウィンドウ幅値、ウィンドウレベル値、視点情報、透明度情報、および、表示色情報のうち少なくとも１つの条件であることを特徴とする請求項１または２に記載の情報処理装置。
【請求項４】
前記医用画像データは、ＤＩＣＯＭ規格に準拠した医用画像データであることを特徴とする請求項１乃至３のいずれか１項に記載の情報処理装置。
【請求項５】
前記医用画像データを特定可能な特定情報は、当該医用画像データに対応する検査を特定可能な情報であることを特徴とする請求項１乃至４のいずれか１項に記載の情報処理装置。
【請求項６】
前記送信手段により送信された前記医用画像データに対する表示条件の設定は、当該表示条件の設定の付加情報として対応する医用画像データを特定可能な情報を持ち、対応する医用画像データを特定可能な状態で前記サーバの記憶手段に記憶されることを特徴とする請求項１乃至５のいずれか１項に記載の情報処理装置。
【請求項７】
前記設定受付手段は、前記医用画像データから生成される３次元医用画像に対する表示条件の設定を受け付け、
前記取得手段は、前記３次元医用画像に対応する医用画像データが前記サーバの前記記憶手段に記憶されているか否かを判断した結果を取得するものであり、
前記送信手段は、前記取得手段で取得された結果が、前記３次元医用画像を構成する医用画像データの一部が記憶されていないとの結果である場合には、当該一部の医用画像データと前記３次元医用画像に対する表示条件の設定とを前記サーバの前記記憶手段に記憶すべく送信する
ことを特徴とする請求項１乃至６のいずれか１項に記載の情報処理装置。
【請求項８】
前記サーバの前記記憶手段に記憶されている前記医用画像データと当該医用画像データに対する表示条件の設定とを取得するデータ取得手段と、
前記データ取得手段で取得された前記医用画像データに当該医用画像データに対する表示条件の設定を適用して画像を表示するべく制御する表示制御手段と、
を更に備えることを特徴とする請求項１乃至７のいずれか１項に記載の情報処理装置。
【請求項９】
医用画像データを記憶可能な記憶手段を備えたサーバと通信可能な情報処理装置の制御方法であって、
情報処理装置が、
前記医用画像データに対する、表示条件の設定を受け付ける設定受付工程と、
前記設定受付工程で受け付けた表示条件の設定を前記サーバに保存する指示を受け付け
る保存指示受付工程と、
前記保存指示受付工程により保存指示を受け付けた前記医用画像データを特定可能な特定情報を用いて、当該医用画像データが前記サーバの前記記憶手段に記憶されている否か判断した結果を取得する取得工程と、
前記取得工程により取得された結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶すべく送信し、前記取得工程により取得された結果が、前記医用画像データが前記サーバに記憶されているとの結果である場合には、前記設定受付工程で受け付けた前記医用画像データに対する表示条件の設定を前記サーバの前記記憶手段に記憶すべく送信する送信工程と、
を備えることを特徴とする情報処理装置の制御方法。
【請求項１０】
医用画像データを記憶可能な記憶手段を備えたサーバと通信可能な情報処理装置で読み取り実行可能なプログラムであって、
情報処理装置を、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されている否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段として機能させることを特徴とするプログラム。
【請求項１１】
医用画像データを表示する情報処理装置と通信可能に設けられ、前記医用画像データを記憶可能な記憶手段を備えるサーバであって、
前記情報処理装置から送信された、前記医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段と、
を備えることを特徴とするサーバ。
【請求項１２】
医用画像データを表示する情報処理装置と通信可能に設けられ、前記医用画像データを
記憶可能な記憶手段を備えるサーバの制御方法であって、
サーバが、
前記情報処理装置から送信された、前記医用画像データを特定可能な特定情報を受信する受信工程と、
前記受信工程により受信した特定情報を用いて、前記医用画像データが前記サーバの記憶手段に記憶されているか否か判断可能な情報を前記情報処理装置に送信する送信工程と、
前記送信工程により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御工程と、
を備えることを特徴とするサーバの制御方法。
【請求項１３】
医用画像データを表示する情報処理装置と通信可能に設けられ、前記医用画像データを記憶可能な記憶手段を備えるサーバで読み取り実行可能なプログラムであって、
サーバを、
前記情報処理装置から送信された、前記医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段として機能させることを特徴とするプログラム。
【請求項１４】
医用画像データを表示する情報処理装置と、当該情報処理装置と通信可能に設けられ、前記医用画像データを記憶可能な記憶手段を備えるサーバとを有する情報処理システムであって、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されている否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段と、
を備えることを特徴とする情報処理システム。
【請求項１５】
医用画像データを表示する情報処理装置と、当該情報処理装置と通信可能に設けられ、
前記医用画像データを記憶可能な記憶手段を備えるサーバとを有する情報処理システムの
制御方法であって、
前記情報処理システムが、
前記医用画像データに対する、表示条件の設定を受け付ける設定受付工程と、
前記設定受付工程で受け付けた表示条件の設定を前記サーバに保存する指示を受け付ける保存指示受付工程と、
前記保存指示受付工程により受け付けた前記医用画像データを特定可能な特定情報を用いて、当該医用画像データが前記サーバの前記記憶手段に記憶されている否か判断する判断工程と、
前記判断工程による判断結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶させ、前記判断工程による判断結果が、前記医用画像データが前記サーバに記憶されていないとの結果である場合には、前記設定受付工程で受け付けた前記医用画像データに対する表示条件の設定を前記サーバの前記記憶手段に記憶させる記憶制御工程と、
を備えることを特徴とする情報処理システムの制御方法。
【請求項１６】
医用画像データを表示する情報処理装置と、当該情報処理装置と通信可能に設けられ、前記医用画像データを記憶可能な記憶手段を備えるサーバとを有する情報処理システムで読み取り実行可能なプログラムであって、
情報処理システムを、
前記医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されている否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段として機能させることを特徴とするプログラム。
【手続補正３】
【補正対象書類名】明細書
【補正対象項目名】０００１
【補正方法】変更
【補正の内容】
【０００１】
本発明は、情報処理装置、その制御方法、及びプログラム、並びに、サーバ、その制御方法、及びプログラム、並びに、情報処理システム、その制御方法、及びプログラムに関し、複数の拠点で同じ表示条件で医用画像データを確認できる環境を構築する際に、ユーザの煩雑さを軽減しつつも、サーバの負荷を軽減する技術に関するものである。
【手続補正４】
【補正対象書類名】明細書
【補正対象項目名】０００７
【補正方法】変更
【補正の内容】
【０００７】
本発明は、医用画像データを記憶可能な記憶手段を備えたサーバと通信可能な情報処理装置であって、医用画像データに対する、表示条件の設定を受け付ける設定受付手段と、前記設定受付手段で受け付けた表示条件の設定を前記サーバに保存する指示を受け付ける保存指示受付手段と、前記保存指示受付手段により保存指示を受け付けた前記医用画像データを特定可能な特定情報を用いて、当該医用画像データが前記サーバの前記記憶手段に記憶されている否か判断した結果を取得する取得手段と、前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、を備えることを特徴とする。
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
医用画像データを記憶可能な記憶手段を備えたサーバと通信可能な情報処理装置であって、
医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されているか否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、
を備えることを特徴とする情報処理装置。
【請求項２】
前記設定受付手段は、前記医用画像データが表示された画面を介して前記表示条件の設定を受け付けることを特徴とする請求項１に記載の情報処理装置。
【請求項３】
前記医用画像データに対する表示条件は、前記医用画像データから生成される３次元医用画像に対する、ウィンドウ幅値、ウィンドウレベル値、視点情報、透明度情報、および、表示色情報のうち少なくとも１つの条件であることを特徴とする請求項１または２に記載の情報処理装置。
【請求項４】
前記医用画像データは、ＤＩＣＯＭ規格に準拠した医用画像データであることを特徴とする請求項１乃至３のいずれか１項に記載の情報処理装置。
【請求項５】
前記医用画像データを特定可能な特定情報は、当該医用画像データに対応する検査を特定可能な情報であることを特徴とする請求項１乃至４のいずれか１項に記載の情報処理装置。
【請求項６】
前記送信手段により送信された前記医用画像データに対する表示条件の設定は、当該表示条件の設定の付加情報として対応する医用画像データを特定可能な情報を持ち、対応する医用画像データを特定可能な状態で前記サーバの記憶手段に記憶されることを特徴とする請求項１乃至５のいずれか１項に記載の情報処理装置。
【請求項７】
前記設定受付手段は、前記医用画像データから生成される３次元医用画像に対する表示条件の設定を受け付け、
前記取得手段は、前記３次元医用画像に対応する医用画像データが前記サーバの前記記憶手段に記憶されているか否かを判断した結果を取得するものであり、
前記送信手段は、前記取得手段で取得された結果が、前記３次元医用画像を構成する医用画像データの一部が記憶されていないとの結果である場合には、当該一部の医用画像データと前記３次元医用画像に対する表示条件の設定とを前記サーバの前記記憶手段に記憶すべく送信する
ことを特徴とする請求項１乃至６のいずれか１項に記載の情報処理装置。
【請求項８】
前記サーバの前記記憶手段に記憶されている前記医用画像データと当該医用画像データに対する表示条件の設定とを取得するデータ取得手段と、
前記データ取得手段で取得された前記医用画像データに当該医用画像データに対する表示条件の設定を適用して画像を表示するべく制御する表示制御手段と、
を更に備えることを特徴とする請求項１乃至７のいずれか１項に記載の情報処理装置。
【請求項９】
医用画像データを記憶可能な記憶手段を備えたサーバと通信可能な情報処理装置の制御方法であって、
情報処理装置が、
医用画像データに対する、表示条件の設定を受け付ける設定受付工程と、
前記設定受付工程で受け付けた表示条件の設定を前記サーバに保存する指示を受け付け
る保存指示受付工程と、
前記保存指示受付工程により保存指示を受け付けた前記医用画像データを特定可能な特定情報を用いて、当該医用画像データが前記サーバの前記記憶手段に記憶されているか否か判断した結果を取得する取得工程と、
前記取得工程により取得された結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶すべく送信し、前記取得工程により取得された結果が、前記医用画像データが前記サーバに記憶されているとの結果である場合には、前記設定受付工程で受け付けた前記医用画像データに対する表示条件の設定を前記サーバの前記記憶手段に記憶すべく送信する送信工程と、
を備えることを特徴とする情報処理装置の制御方法。
【請求項１０】
医用画像データを記憶可能な記憶手段を備えたサーバと通信可能な情報処理装置で読み取り実行可能なプログラムであって、
情報処理装置を、
医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により保存指示を受け付けた前記医用画像データを特定可能な特定情報を用いて、当該医用画像データが前記サーバの前記記憶手段に記憶されているか否か判断した結果を取得する取得手段と、
前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段として機能させることを特徴とするプログラム。
【請求項１１】
医用画像データを表示する情報処理装置と通信可能に設けられ、前記医用画像データを記憶可能な記憶手段を備えるサーバであって、
前記情報処理装置から送信された、医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段と、
を備えることを特徴とするサーバ。
【請求項１２】
医用画像データを表示する情報処理装置と通信可能に設けられ、前記医用画像データを
記憶可能な記憶手段を備えるサーバの制御方法であって、
サーバが、
前記情報処理装置から送信された、医用画像データを特定可能な特定情報を受信する受信工程と、
前記受信工程により受信した特定情報を用いて、前記医用画像データが前記サーバの記憶手段に記憶されているか否か判断可能な情報を前記情報処理装置に送信する送信工程と、
前記送信工程により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御工程と、
を備えることを特徴とするサーバの制御方法。
【請求項１３】
医用画像データを表示する情報処理装置と通信可能に設けられ、前記医用画像データを記憶可能な記憶手段を備えるサーバで読み取り実行可能なプログラムであって、
サーバを、
前記情報処理装置から送信された、医用画像データを特定可能な特定情報を受信する受信手段と、
前記受信手段により受信した特定情報を用いて、前記医用画像データが前記サーバの記憶手段に記憶されているか否か判断可能な情報を前記情報処理装置に送信する送信手段と、
前記送信手段により送信された情報が、前記医用画像データが保存されていないと判断可能な情報である場合には、前記医用画像データと当該医用画像データに対する表示条件の設定を前記情報処理装置から取得して前記記憶手段に記憶させ、一方、前記医用画像データが保存されていると判断可能な情報である場合には、前記医用画像データに対する表示条件の設定を前記情報処理装置から取得して前記記憶手段に記憶させる記憶制御手段として機能させることを特徴とするプログラム。
【請求項１４】
医用画像データを表示する情報処理装置と、当該情報処理装置と通信可能に設けられ、前記医用画像データを記憶可能な記憶手段を備えるサーバとを有する情報処理システムであって、
医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されているか否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段と、
を備えることを特徴とする情報処理システム。
【請求項１５】
医用画像データを表示する情報処理装置と、当該情報処理装置と通信可能に設けられ、前記医用画像データを記憶可能な記憶手段を備えるサーバとを有する情報処理システムの制御方法であって、
前記情報処理システムが、
医用画像データに対する、表示条件の設定を受け付ける設定受付工程と、
前記設定受付工程で受け付けた表示条件の設定を前記サーバに保存する指示を受け付ける保存指示受付工程と、
前記保存指示受付工程により受け付けた前記医用画像データを特定可能な特定情報を用いて、当該医用画像データが前記サーバの前記記憶手段に記憶されているか否か判断する判断工程と、
前記判断工程による判断結果が、前記医用画像データが前記サーバに記憶されていないとの結果である場合には、前記医用画像データと前記設定受付工程で受け付けた前記医用画像データに対する表示条件の設定とを前記サーバの前記記憶手段に記憶させ、前記判断工程による判断結果が、前記医用画像データが前記サーバに記憶されていないとの結果である場合には、前記設定受付工程で受け付けた前記医用画像データに対する表示条件の設定を前記サーバの前記記憶手段に記憶させる記憶制御工程と、
を備えることを特徴とする情報処理システムの制御方法。
【請求項１６】
医用画像データを表示する情報処理装置と、当該情報処理装置と通信可能に設けられ、前記医用画像データを記憶可能な記憶手段を備えるサーバとを有する情報処理システムで読み取り実行可能なプログラムであって、
情報処理システムを、
医用画像データに対する、表示条件の設定を受け付ける設定受付手段と、
前記設定受付手段で受け付けた表示条件の設定を前記サーバに保存する指示を受け付ける保存指示受付手段と、
前記保存指示受付手段により受け付けた前記医用画像データを特定可能な特定情報を用いて、当該医用画像データが前記サーバの前記記憶手段に記憶されているか否か判断する判断手段と、
前記判断手段による判断結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶させ、前記判断手段による判断結果が、前記医用画像データが前記サーバに記憶されていないとの結果である場合には、前記設定受付手段で受け付けた前記医用画像データに対する表示条件の設定を前記サーバの前記記憶手段に記憶させる記憶制御手段として機能させることを特徴とするプログラム。
【手続補正２】
【補正対象書類名】明細書
【補正対象項目名】０００７
【補正方法】変更
【補正の内容】
【０００７】
本発明は、医用画像データを記憶可能な記憶手段を備えたサーバと通信可能な情報処理装置であって、医用画像データに対する、表示条件の設定を受け付ける設定受付手段と、前記設定受付手段で受け付けた表示条件の設定を前記サーバに保存する指示を受け付ける保存指示受付手段と、前記保存指示受付手段により保存指示を受け付けた前記医用画像データを特定可能な特定情報を用いて、当該医用画像データが前記サーバの前記記憶手段に記憶されているか否か判断した結果を取得する取得手段と、前記取得手段により取得された結果が、前記医用画像データが前記サーバに記憶されていないとの結果である場合には、前記医用画像データと前記設定受付手段で受け付けた前記医用画像データに対する表示条件の設定とを前記サーバの前記記憶手段に記憶すべく送信し、前記取得手段により取得された結果が、前記医用画像データが前記サーバに記憶されているとの結果である場合には、前記設定受付手段で受け付けた前記医用画像データに対する表示条件の設定を前記サーバの前記記憶手段に記憶すべく送信する送信手段と、を備えることを特徴とする。